(57)【要約】【課題】機器本体に対するカード収容体の取付けが容易なカード固定装置を提供する。【解決手段】本発明に係るカード固定装置は、機器本体２内に配置され、バネ接点５に対し電気的に接続可能に構成されるカード４を収容するカード収容体１と、を有し、前記カード収容体１は、スライドさせることにより前記機器本体２内に固定が可能なスライド固定機構を有する。【選択図】図１
2010198623.tif 000002
【特許請求の範囲】
【請求項１】
接点に対し電気的に接続可能に構成されるカードを収容するカード収容体を有し、
前記カード収容体は、スライドさせることにより機器本体内に固定が可能なスライド固定機構を有する、ことを特徴とするカード固定装置。
【請求項２】
前記カード収容体には、カードが収容される有底の収容空間が形成され、
一側壁に設けられ、前記カードの一辺を差込んで前記カードを拘束する係止部と、
前記一側壁と対向する他側壁に設けられ、鉛直上方に延設された鉛直部と、前記鉛直部の上端から前記収容空間の内側に折り曲げられて、前記カードの一辺が前記係止部に拘束されたとき、前記カードの他辺に当接する案内部と、を有し、前記案内部に沿って前記カードが押し込まれると変形して、前記カードの前記収容空間内への挿入を許す可撓ロック部と、を有し、
前記案内部には、前記収容空間の外側に折り曲げられた折り曲げ部が形成され、
前記折り曲げ部は、前記鉛直部に開口させた穴を貫通するよう延設され、且つその先端が前記鉛直部に係止されるストッパを有する、ことを特徴とする請求項１に記載のカード固定装置。
【請求項３】
前記接点は、バネ性を有するバネ接点であり、
前記可撓ロック部の前記案内部は、前記収容空間の外側へ変形させられたとき、前記バネ接点の反発力によって前記収容空間に収められた前記カードが上方に押し出されるように構成したことを特徴とする請求項２記載のカード固定装置。
【請求項４】
前記可撓ロック部の前記案内部には、押圧用凹部が形成されたことを特徴とする請求項２又は３記載のカード固定装置。
【請求項５】
前記カード収容体の前記一側壁と直交する向きの端壁に、カード取出しのための取出用凹部が設けられたことを特徴とする請求項２乃至４のいずれか１つに記載のカード固定装置。
【請求項６】
前記可撓ロック部には、前記収容空間の前記他側壁端部の立上り部から他側壁の中心側に延長した延長可撓部の先端に、前記案内部が形成されることを特徴とする請求項２記載のカード固定装置。
【請求項７】
前記収容空間の底部には、絶縁シートが装着されることを特徴とする請求項１乃至６のいずれか１つに記載のカード固定装置。
【請求項８】
前記カードは、メモリカードであることを特徴とする請求項１乃至７のいずれか１つに記載のカード固定装置。
【請求項９】
請求項１乃至８のいずれか１つに記載のカード固定装置を備えた携帯端末機。
【発明の詳細な説明】
【技術分野】
【０００１】
本発明は、電子機器等に対してメモリカード或いはカード型電池等のカードを装着し、また、取出すようにしたカード固定装置及びこれを用いた携帯端末機に関するものである。
【背景技術】
【０００２】
近年、携帯型電話機、ＰＤＡ、種々のコンピュータ等の各種の電子機器に、固体メモリを内蔵した小型情報記録媒体であるメモリカードを用いることが広く一般に行われるようになってきている。また、電子機器の小型化の要求に伴いカード型電池等の利用も考えられている。
【０００３】
電子機器に対してメモリカードを電気的に接続された状態に固定し、またその固定状態を解除してメモリカードを取出すようにしたカード固定装置としては、メモリカードを収容するカード収容体と、該カード収容体とは別個に構成してカード収容体に回動可能に取付けることによりメモリカードの固定と解放とを行うようにした可動係止体と、により構成したものが知られている（例えば、特許文献１、特許文献２等参照）。
【先行技術文献】
【特許文献】
【０００４】
【特許文献１】特開２００２−１２４３２８号公報
【特許文献２】特開平１１−１７６５１６号公報
【発明の概要】
【発明が解決しようとする課題】
【０００５】
ここで、機器本体に対するカード収容体の取付けは、できるだけ容易であることが好ましい。
【０００６】
本発明は、機器本体に対するカード収容体の取付けが容易なカード固定装置を提供することを目的とする。
【課題を解決するための手段】
【０００７】
以上の目的を達成するために、本発明に係るカード固定装置は、接点に対し電気的に接続可能に構成されるカードを収容するカード収容体を有し、前記カード収容体は、スライドさせることにより前記機器本体内に固定が可能なスライド固定機構を有する、ことを特徴とする。
【発明の効果】
【０００８】
本発明のカード固定装置によれば、機器本体に対するカード収容体の取付けが容易になる。
【図面の簡単な説明】
【０００９】
【図１】本発明のカード固定装置を構成するカード収容体の第一の形態例を示す平面斜視図である。
【図２】図１のカード固定装置を裏面から見た背面斜視図である。
【図３】図１のカード固定装置における可撓ロック部の背面斜視図である。
【図４】図１のカード固定装置を適用する機器本体の一例を示す平面斜視図である。
【図５】図１のカード固定装置を図４の機器本体に固定した状態を示す平面斜視図である。
【図６】カード固定装置にカードを挿入している状態を示す平面斜視図である。
【図７】図６をＶＩＩ−ＶＩＩ方向から見たカードの挿入作用状態を示す断面図である。
【図８】図７の状態からカードが収容空間に収められた状態を示す断面図である。
【図９】カード固定装置にカードが装着された状態の平面斜視図である。
【図１０】図５を裏面から見た背面斜視図である。
【図１１】本発明のカード固定装置を構成するカード収容体の第二の形態例を示す平面斜視図である。
【発明を実施するための形態】
【００１０】
以下、本発明の好適な実施の形態を図面に基づいて説明する。
【００１１】
図１は本発明のカード固定装置の第一の形態例を示す平面斜視図、図２は図１のカード固定装置を裏面から見た背面斜視図、図３は図１のカード固定装置における可撓ロック部の背面斜視図、図４は図１のカード固定装置を適用する機器本体の一例を示す平面斜視図、図５は図１のカード固定装置を図４の機器本体に固定した状態を示す平面斜視図、図６はカード固定装置にカードを挿入している状態を示す平面斜視図、図７は図６をＶＩＩ−ＶＩＩ方向から見たカードの挿入作用状態を示す断面図、図８は図７の状態からカードが収容空間に収められた状態を示す断面図、図９はカード固定装置にカードが装着された状態の平面斜視図、図１０は図５を裏面から見た背面斜視図である。
【００１２】
図１、図２に示すように本発明のカード固定装置は、バネ性のある金属板を用いて板金加工により一体構成としたカード収容体１からなっており、このカード収容体１は、例えば図４に機器本体２（筺体）の一例として示す携帯型電話機等に形成された取付開口３に固定される。そして、このカード収容体１にメモリカード等のカード４（図６参照）を装着することによって図５に示す機器本体２のバネ接点５と電気的に接続し、また、カード収容体１からカード４を取出せるようにしている。図５のバネ接点５は、図示しない基板に実装されたバネ接点端子コネクタ５ａに複数備えられており、各バネ接点５は自身のもつ反発力によって常に上方に突出した状態を保持するよう付勢されている。従って、前記カード４をバネ接点５に押付けるようにカード収容体１に装着すると、カード４はバネ接点５と電気的に接続される。
【００１３】
前記カード収容体１は、図１に示すように、上部が開放されてカードを収容できる略長方形の有底の収容空間６を備えており、該収容空間６の底部における前記図５のバネ接点５に対応した位置には接続用開口部７が形成されている。上記カード収容体１は、例えばバネ性のあるステンレス材（ＳＵＳ３０４−ＣＳＰ）等の薄板を用いてプレス等にて一体加工した板金部品からなっている。
【００１４】
カード収容体１の収容空間６を形成している一側壁６ａ（左側壁）の上部には、図６に示すようにカード４の一辺を差込んで拘束し得るように収容空間６の内側に折り曲げた係止顎部８が一体に形成してある。
【００１５】
また、カード収容体１の前記収容空間６を形成する一側壁６ａと対向する他側壁６ｂ（右側壁）には、図６のように、一辺を前記係止顎部８に係止させたカード４の他辺を押込むことによってカード４を収容空間６に抜出不能に装着することができ、また、収容空間６に装着したカード４を取出すための可撓ロック部９が一体に形成してある。
【００１６】
可撓ロック部９は、図１〜図３に示すように、収容空間６の他側壁６ｂに鉛直上方に延びた鉛直部１０と、該鉛直部１０の上端から折り曲げられて収容空間６側に傾斜させた傾斜案内部１１とを有している。前記可撓ロック部９の傾斜案内部１１は、下端が常時収容空間６側に張出した状態を保持しており、傾斜案内部１１は収容空間６側から指で押すと傾斜案内部１１の下端が収容空間６の外部に変形できるバネ特性を有している。
【００１７】
更に、傾斜案内部１１の下端には図３、図７に示すように収容空間６の外側に向けて水平に折り曲げられた折り曲げ部１２を有し、この折り曲げ部１２の先端は前記鉛直部１０の内側面に当接することによって外向きの変形量を制限するストッパ１３を構成している。このストッパ１３により可撓ロック部９のバネ機能の破壊防止が図られている。また、前記折り曲げ部１２の先端の一部は前記鉛直部１０に形成された穴１４（図２、図３参照）を貫通して延設されており、この延設部１５の先端を下方に折り曲げて前記鉛直部１０の外側面に当接させることによって内向きの変形量を制限するストッパ１６を構成している。このストッパ１６により、傾斜案内部１１の下端が収容空間６側に突出する抑え幅Ｓを略一定に保持するようになっている（図７参照）。
【００１８】
前記可撓ロック部９の傾斜案内部１１には、傾斜案内部１１を収容空間６の外方に変形させる際に指の爪を掛けるための押圧用凹部１７を形成している。
【００１９】
また、収容空間６の前記係止顎部８及び可撓ロック部９を備えた側と直交する向きの後端壁６ｃには、後方に曲げられた後部延長片１８が形成されており、該後部延長片１８と後端壁６ｃとの角部には指の爪を掛けてカード４を取出すための取出用凹部１９を形成している。
【００２０】
なお、前記接続用開口部７を除く収容空間６の底部には、カード４がバネ接点５以外の機器に接触するのを防止すための絶縁シートを装着するようにしても構わない。
【００２１】
また、前記カード収容体１は、機器本体２の取付開口３に載置してスライドさせるのみで機器本体２に固定できるようにしたスライド固定機構を備えている。
【００２２】
スライド固定機構は、図１に示すように、前記収容空間６の一側壁６ａと他側壁６ｂにおける長手方向前後の４箇所に、収容空間６の上端から側方外部に向けて折り曲げた側部係止片２１，２２，２３，２４を形成している。
【００２３】
また、前記収容空間６の前端壁６ｄの上端には、前端壁６ｄの全幅のままで前方に向けて折り曲げた前部係止片２５を形成しており、該前部係止片２５の幅方向端部前端には下方に向けて折り曲げた係止爪２６ａ，２６ｂを形成している。
【００２４】
そして、前記した後側の側部係止片２３，２４の下側には、収容空間６の底部から側方外部に向けて折り曲げた後部挾持片２７，２８を形成している。この後部挾持片２７，２８は、前記側部係止片２３，２４に対して前後の長さが短くなっている。また、前記前部係止片２５の幅方向中心下部には、収容空間６の底辺から前方に向けて折り曲げた前部挾持片２９を形成している。
【００２５】
一方、前記機器本体２における取付開口３の上縁には、図４、図５に示すように前記カード収容体１に設けた側部係止片２１，２３を前後に所要の距離で移動可能に支持する浅い深さの案内凹部３１と、側部係止片２２，２４を受ける案内面３１’が形成されており、且つ後部の案内凹部３１には前後の長さが短い後部挾持片２７，２８が上下に貫通できる切欠部３２を形成している。従って、カード収容体１を機器本体２の取付開口３に載置すると、図５、図１０に示すように後部挾持片２７，２８が切欠部３２を貫通して側部係止片２１，２２，２３，２４が案内凹部３１と案内面３１’上に係止されるので、カード収容体１を前方にスライドさせると、案内凹部３１下部の側部挾持部３３を、側部係止片２３，２４と後部挾持片２７，２８によって上下から挾むようになっている。側部挾持部３３の裏面には前方に向けて下向きに形成した傾斜面３３ａが形成されていて後部挾持片２７，２８がスムーズに前進できるようになっている。
【００２６】
また、前記機器本体２の取付開口３の前部には前部挾持部３４を備えている。前部挾持部３４の上面には、前部係止片２５の先端の係止爪２６ａ，２６ｂを案内する前方に向かって高さが高くなる傾斜面３５と、該傾斜面３５の前端に形成して係止爪２６ａ，２６ｂが嵌合する嵌合溝３６が形成してあり、また、前部挾持部３４の下面には、前記カード収容体１を後側から前方にスライドさせた際に前部挾持片２９の前進を案内する挾持面３７が形成されている。挾持面３７には前方に向けて下向きに傾斜する傾斜面３７ａが形成されていて前部挾持片２９がスムーズに前進できるようになっている。これにより、前記係止爪２６ａ，２６ｂと前部挾持片２９は前部挾持部３４を上下方向から掴むようになっている。
【００２７】
以下に、上記形態例の作用を説明する。
【００２８】
図１、図２に示したカード収容体１は、図４に示す携帯型電話機等の機器本体２に対してスライド固定機構により次のようにして固定される。先ず、前記カード収容体１を機器本体２に形成した取付開口３に嵌合させるようにすると、カード収容体１の後部挾持片２７，２８が切欠部３２を貫通して側部係止片２１，２２，２３，２４が案内凹部３１及び案内面３１’上に係止される。この状態で、カード収容体１を前方にスライドさせるように指で押す。すると、後部挾持片２７，２８が側部挾持部３３の下面の傾斜面３３ａに沿って進入することにより、側部挾持部３３は側部係止片２３，２４と後部挾持片２７，２８とによって上下方向から挾持されるようになる。
【００２９】
また、これと同時に、前記スライドによって、前部挾持片２９が前部挾持部３４下面の挾持面３７に傾斜面３７ａに沿って進入し、且つ前部係止片２５の係止爪２６ａ，２６ｂが傾斜面３５に沿って前進した後、嵌合溝３６に嵌合するようになる。これにより、前部挾持部３４は係止爪２６ａ，２６ｂと前部挾持片２９とによって上下方向から掴まれた状態になる。
【００３０】
上記スライド固定機構によれば、カード収容体１をスライドさせるという簡単な操作で機器本体２に固定することができ、よって組立作業を容易且つ高能率に行うことができる。また、上記スライド固定機構は嵌め殺しの機能を有するために、機器本体２に固定したカード収容体１は取外すことが困難で外れ難くなる。
【００３１】
次に、前記カード収容体１に対してカード４を装着、及び取出す操作について説明する。
【００３２】
カード収容体１にカード４を装着するには、図６に示すように、カード収容体１の一側壁６ａに備えたカード顎部の下側にカード４の一辺を差込む。この時、可撓ロック部９の傾斜案内部１１は図７に実線で示すようにストッパ１６が鉛直部１０外面に当たった状態で収容空間６側に突出しているので、カード４の他側辺は傾斜案内部１１上に乗った斜めの状態になっている。この状態から、カード４の他辺側を上部から矢印Ａで示すように指で押圧する。すると、可撓ロック部９はそのバネ特性により二点鎖線で示すように外側に変形しカード４の他側辺は傾斜案内部１１に沿って下降し、傾斜案内部１１下端を通過するとカード４は図８、図９のように収容空間６に収容される。前記カード４の他側辺が傾斜案内部１１下端を通過すると、傾斜案内部１１下端はそのバネ特性によって再び収容空間６側に張出し、これによって収容空間６に収容されたカード４は抜出不能となる。この時、傾斜案内部１１下端の収容空間６側への張出し長さはストッパ１６によって規定されカード４の抑え幅Ｓが設定されている。
【００３３】
上記したように、カード４を片手の指で押し込むのみで収容空間６に装着することができる。また、カード４が収容空間６に装着された状態では、図８のバネ接点５の上向きの反発力に抗してカード４が押し込められているので、カード４の下面には常時バネ接点５に押圧されており、よってカード４とバネ接点５の電気的な接続は確実に保たれる。
【００３４】
なお、携帯型電話機の薄型化が図られてカード収容体１の収容空間６底面とカード４との間隔が小さくなった場合にはカード収容体１とカード４との間を確実に絶縁する必要があるが、このような場合には前述したように収容空間６の底面に絶縁シートを装着しておく、或いは、カード収容体１の接続用開口部７を大きく開口させることにより、カード収容体１とカード４が接触するのを防止することができる。
【００３５】
次に、カード収容体１に収容されたカード４を取出すには、図８、図９に示すように、可撓ロック部９の傾斜案内部１１に形成した押圧用凹部１７に人差し指の爪を当てて傾斜案内部１１を矢印Ｂで示すように収容空間６の外方に押圧する。この時、傾斜案内部１１に押圧用凹部１７を設けているので、指先による押圧ポイントが特定されて力が掛けやすくなる。
【００３６】
傾斜案内部１１下端がカード４の他辺より外側まで変形されると、カード４は傾斜案内部１１下端による拘束が解除されるために、バネ接点５の反発力によってカード４は上方に飛び出すようになる。この時、前記指先で押圧用凹部１７を押圧して傾斜案内部１１を変形させることと、カード４が収容空間６から飛び出す作用とは略同時に起こるので、カード４は指に当たることになり、よってカード４がカード収容体１の外部に飛び出して汚れたり、或いは紛失する等の問題を防止できる。また、収容空間６から飛び出して指に当たったカード４は、押圧用凹部１７から指を離すと傾斜案内部１１に沿って上昇して図６に示した状態となるので、カード４を長手方向両端から摘まんで片手で容易に取出すことができる。
【００３７】
また、指先が押圧用凹部１７の押圧ポイントからずれたことにより万が一、カード４の飛び出しが途中で止まるようなことがあっても、後端壁６ｃに形成した取出用凹部１９に爪を入れてカード４を容易に取出すことができる。
【００３８】
図１１は本発明のカード固定装置の第二の形態例を示す平面斜視図である。図１１の形態例は、前記図１、図２の形態例と基本的な構成は同一であるが、可撓ロック部の構成のみが異なっているので、この構成が異なる部分についてのみ説明する。
【００３９】
図１１に示す可撓ロック部３８は、収容空間６の他側壁６ｂの端部に形成した立上り部３９から他側壁６ｂの中心側に延長された延長可撓部４０を有しており、該延長可撓部４０の先端に傾斜案内部４１を形成した構成としている。尚、この形態例においても傾斜案内部４１に図１に示したような押圧用凹部１７を備えてもよい。
【００４０】
図１１の形態例においても傾斜案内部４１の下端は常時収容空間６側に張出しており、該傾斜案内部４１を矢印Ｂ方向の押圧して延長可撓部を変形させることにより傾斜案内部が収容空間６外部に移動してカードの取出しを行うことができ、前記図１、図２のカード収容体１と全く同様に作用することができる。上記図１１に示した形態例によれば、図１、図２の場合に比して更に構成を簡略化することができる。
【００４１】
上述したように、本発明では、単一構成の板金部品からなるカード収容体１によってカード固定装置を構成しているので、カード固定装置の精度保持と強度の信頼性を高めることができ、且つカード収容体１に備えた可撓ロック部９によるカード４の装着と、カード４の取出しとを片手の操作で容易に行うことができる。
【００４２】
また、スライド固定機構によってカード収容体１を機器本体２に固定するようにしたので、機器本体２へのカード収容体１の装着が極めて容易になり、よって組立作業能率を大幅に高めることができ、しかもカード収容体１は機器本体２に確実に取付けられて機器本体２から外れ難くなる。
【００４３】
尚、本発明のカード固定装置は、前記したメモリカード以外にカード型電池等の固定・取出しにも適用することができる。また、前記カード固定装置は、携帯型電話機の他、ＰＤＡ、パソコン等に対するカードの固定・取出しにも適用することができる。
【００４４】
また、本発明は上記形態例にのみ限定されるものではなく、本発明の要旨を逸脱しない範囲内において種々変更を加え得ることは勿論である。
【符号の説明】
【００４５】
１ カード収容体
２ 機器本体（筺体）
４ カード
５ バネ接点
６ 収容空間
６ａ 一側壁
６ｂ 他側壁
６ｃ 後端壁
６ｄ 前端壁
７ 接続用開口部
８ 係止顎部
９ 可撓ロック部
１０ 鉛直部
１１ 傾斜案内部
１２  折曲げ部
１３ ストッパ
１４  穴
１６ ストッパ
１７ 押圧用凹部
１９ 取出用凹部
３８ 可撓ロック部
３９ 立上り部
４０ 延長可撓部
４１ 傾斜案内部
【図１】
2010198623.tif 000003
【図２】
2010198623.tif 000004
【図３】
2010198623.tif 000005
【図４】
2010198623.tif 000006
【図５】
2010198623.tif 000007
【図６】
2010198623.tif 000008
【図７】
2010198623.tif 000009
【図８】
2010198623.tif 000010
【図９】
2010198623.tif 000011
【図１０】
2010198623.tif 000012
【図１１】
2010198623.tif 000013